(57)【要約】【課題】物品の出し入れが容易であるとともに、重量の大きい物品でも収納して容易かつ安全に運搬することができる包装箱を提供する。【解決手段】後側板３および左右の横側板４を備えるとともに下部に浅い箱状のポケット部５を備えた箱本体１と、左右の横側板８と前側板７とを備えた前パネル２とからなり、前パネル２の左右の横側板８を箱本体１の左右の横側板４に外側から全面的に重合して連結具で連結および分離可能に構成し、前パネル２の左右の横側板８と箱本体１の左右の横側板４には、これら横側板８，４が重合された状態において互いに合致する提手孔１７，２２をそれぞれ備えてある。【選択図】図２
0003154971.tif 000002
【実用新案登録請求の範囲】
【請求項１】
後側板および左右の横側板を備えるとともに下部に浅い箱状のポケット部を備えた箱本体と、左右の横側板と前側板とを備えた前パネルとからなり、前記前パネルの左右の横側板を前記箱本体の左右の横側板に外側から全面的に重合して連結具で連結および分離可能に構成し、前記前パネルの左右の横側板と前記箱本体の左右の横側板には、これら横側板が重合された状態において互いに合致する提手孔をそれぞれ備えてあることを特徴とする包装箱。
【請求項２】
前記箱本体の左右の横側板に形成した前記提手孔を打抜き孔に構成するとともに、前記前パネルの左右の横側板に形成した前記提手孔を、上端が横側板に繋がった切込み孔に構成してある請求項１記載の包装箱。
【請求項３】
前記箱本体における前記後側板、前記ポケット部における底板、および、ポケット部における前板とを一連に折り曲げ連設してある請求項１または２記載の包装箱。
【請求項４】
前記ポケット部における前板の左右端に、前記箱本体における左右の横側板の内面に重合連結される横板を折り曲げ連設してある請求項３記載の包装箱。
【請求項５】
前記箱本体における左右の横側板と前記横板との重合域において前記連結具を装着するよう構成してある請求項４載の包装箱。
【請求項６】
前記箱本体における左右の横側板に、箱内方に折り曲げ可能な係止片を備えるとともに、前記横板には、箱内方に折り曲げられた前記係止片を係入固定する係止孔を形成してある請求項４または５記載の包装箱。
【考案の詳細な説明】
【技術分野】
【０００１】
本考案は、テレビなどの比較的重量の大きい電気製品等を好適に収納梱包することができる包装箱に関する。
【背景技術】
【０００２】
上記包装箱としては、例えば、特許文献１に示されているように、浅い箱状のトレイ部に、開閉自在なフラップを備えた底無し箱状の外装体を外嵌して、両者をジョイントで連結するよう構成したものが知られている。
【先行技術文献】
【特許文献】
【０００３】
【特許文献１】特開２０００−３２６９６１号公報
【考案の概要】
【考案が解決しようとする課題】
【０００４】
上記構成の包装箱は、浅いトレイ部に物品を収納した後に外装体を外嵌連結することができるとともに、外装体をトレイ部から取外すことで収納した物品を大きく露出させることができるので、深い箱状に構成された一般的な包装箱（段ボール箱）を用いる場合に比べて、重い物品の出し入れを容易に行うことができるものである。
【０００５】
しかし、上記従来の包装箱では、物品の収納に際しては、底無し箱状の外装体を大きく持ち上げて、トレイ部に入れた物品に被せながら装着してトレイ部に連結することになり、トレイ部に入れた物品やこれを覆ったビニール袋に触れて傷付けないように外装体を慎重に被せてゆく必要がある。また、物品を取り出す際にも、トレイ部に入れた物品などに触れて傷付けないように外装体を慎重に抜き上げてゆく必要があった。
【０００６】
また、物品を収納した包装箱を運搬する場合、トレイ部の底に手を掛けるか、外装体の側面に形成した提手孔に手指を掛ける、等して包装箱を持ち上げることになる。この場合、前者の持ち上げ手段では、包装箱の一部に大きい荷重をかけることなく重い物品を持ち上げることができる反面、トレイ部の底に手を掛けるために、作業者が大きく屈み込んで包装箱を持ち上げる必要があり、作業が煩わしいものになる。これに対して、外装体に提手孔を形成する後者の持ち上げ手段では、包装箱における左右横側面の比較的高い位置に提手孔を形成することで、作業者が大きく屈み込まなくても楽な姿勢で提手孔に手指を掛けて持ち運びすることができて便利であるが、段ボール紙製の外装体に形成した提手孔は、厚さの小さい単なる打ち抜き孔であるために、収納した物品の重量が提手孔における上縁に集中して提手孔が変形したり破損するおそれがあった。また、提手孔の上縁に掛けた手指にも大きい重量負荷が集中作用して持ち運び作業が辛いものとなる。
【０００７】
本考案は、このような実情に着目してなされたものであって、物品の出し入れが容易であるとともに、重量の大きい物品でも収納梱包して容易かつ安全に運搬することができる包装箱を提供することを目的とするものである。
【課題を解決するための手段】
【０００８】
上記目的を達成するために、本考案は以下のように構成した。
【０００９】
本考案は、後側板および左右の横側板を備えるとともに下部に浅い箱状のポケット部を備えた箱本体と、左右の横側板と前側板とを備えた前パネルとからなり、前記前パネルの左右の横側板を前記箱本体の左右の横側板に外側から全面的に重合して連結具で連結および分離可能に構成し、前記前パネルの左右の横側板と前記箱本体の左右の横側板には、これら横側板が重合された状態において互いに合致する提手孔をそれぞれ備えてあることを特徴とする。
【００１０】
この構成によると、組み上げられて前方が大きく開放された箱本体のポケット部に物品を収納した後、前パネルを箱本体の前方から被せ、箱本体の横側板に前パネルの横側板を外嵌重合させる。箱本体に前パネルを外嵌した状態では、箱本体の横側における取付け孔と前パネルの横側における取付け孔が内外に貫通して合致することになり、これらの取付け孔に、予め用意した連結具を外方から嵌入装着することで、箱本体と前パネルが一体化された包装箱となる。
【００１１】
梱包した包装箱を持ち運ぶ際には、前パネルにおける横側板の提手孔と箱本体における横側板の提手孔とが合致しているので、これらの提手孔に手指を掛けて包装箱を持ち上げることができる。この場合、提手孔は２枚合わせの強度の高いものとなっており、重い物品を収納して持ち上げても、提手孔が孔上縁に集中する持上げ荷重によって変形したり破損することはない。
【００１２】
物品を取り出す場合には、連結具を外して前パネルを箱本体から取り外し、前パネルの取り外しによって前面が大きく開放された箱本体の浅いポケット部から物品を容易に取り出すことができる。
【００１３】
包装箱の横側面は、箱本体の横側板と前パネルの横側板とが重合しているので、強度の強いものとなり、包装箱を重ねて運搬する場合などに、変形するのを防止することができる。
【００１４】
本考案の一実施態様においては、前記箱本体の左右の横側板に形成した前記提手孔を打抜き孔に構成するとともに、前記前パネルの左右の横側板に形成した前記提手孔を、上端が横側板に繋がった切込み孔に構成してある。
【００１５】
これによると、前パネルにおける横側板の提手孔を埋めている舌片を指先で押し込んで内方上方に折り曲げ、舌片を内側の提手孔に押し込み通過させる。このように孔内に折り込んだ舌片は、その下面が孔口縁の板厚さに比べて大きく、かつ、平坦な指掛け面となり、提手孔に掛けた手指の腹に無理をかけることなく、かつ、提手孔を変形させたり破損させることなく重い包装箱を持ち上げることができる。
【００１６】
また、本考案の他の実施態様においては、前記箱本体における前記後側板、前記ポケット部における底板、および、ポケット部における前板とを一連に折り曲げ連設してある。
【００１７】
これによると、一般的な段ボール箱のようにフラップを折重ねて底面を形成する場合に比べて底面強度が高いものとなり、運搬中に底面が変形したり破損するといった現象、いわゆる「底抜け」を確実に防止して、重い物品を収納搬送することができる。更に、フラップを折り重ねて底面を形成する場合に比べて、底面が平らになるので、安定した状態で包装箱を重ねて運搬するといったことが可能になる。
【００１８】
また、本考案の他の実施態様においては、前記ポケット部における前板の左右端に、前記箱本体における左右の横側板の内面に重合連結される横板を折り曲げ連設してある。
【００１９】
これによると、ポケット部単体での底面強度が高いものとなり、「底抜け」の防止に一層有効となる。
【００２０】
また、本考案の他の実施態様においては、前記箱本体における左右の横側板と前記横板との重合域において前記連結具を装着するよう構成してある。
【００２１】
これによると、箱本体における横側板の取付け孔、ポケット部における横板の取付け孔、および、前パネルにおける横側板の取付け孔が内外に貫通して合致することになり、３枚重ね箇所における取付け孔に、連結具を嵌入装着することで、箱本体と前パネルを強固に一体化することができる。
【００２２】
さらに、本考案の他の実施態様においては、前記箱本体における左右の横側板に、箱内方に折り曲げ可能な係止片を備えるとともに、前記横板には、箱内方に折り曲げられた前記係止片を係入固定する係止孔を形成してある。
【００２３】
これによると、梱包を解く場合には、連結具を外して前パネルを箱本体から取り外し、前パネルの取り外しによって前面が大きく開放された箱本体のポケット部から物品を容易に取り出すことができる。また、係止片を係止孔から抜き外せば、ポケット部を前方に折り拡げることができるとともに、箱本体の横側板も横側方へ折り拡げることができ、前方および左右両側方を大きく開放した状態で一層容易に物品を取り出すことが可能となる。
【００２４】
また、使用後に、係止片を係止孔から抜き外してポケット部を分解し、簡単に箱本体を扁平に展開することができ、嵩低くして保管や廃棄を行うことができる。
【００２５】
更に、従来の浅いトレイ部は、底板の四方から浅い側板を立ち上がった状態に保持するために、ワイヤ留めなどの必要があるが、係止片を係止孔に係入固定するので、かかるワイヤ留めの必要がなく、その分、製造工程が削減されてコストを低減することができる。
【考案の効果】
【００２６】
このように、本考案に係る包装箱によると、物品の出し入れが容易であるとともに、重量の大きい物品でも収納して容易かつ安全に運搬することができる。
【図面の簡単な説明】
【００２７】
【図１】組み立てられた包装箱の斜視図である。
【図２】包装箱の分解斜視図である。
【図３】梱包途中の包装箱を示す斜視図である。
【図４】梱包された包装箱の斜視図である。
【図５】包装箱の縦断正面図である。
【図６】包装箱の縦断側面図である。
【図７】箱本体を形成する素材の展開平面図である。
【図８】箱本体の組み立て過程を示す斜視図である。
【図９】組み立てられた箱本体の連結構造を示す要部の横断平面図である。
【図１０】前パネルを形成する素材の展開平面図である。
【考案を実施するための形態】
【００２８】
以下、本考案の実施例を図面に基づいて説明する。
【００２９】
図１に、本考案に係る包装箱の組み立て状態の斜視図が、図２に、その分解した斜視図が、また、図３，図４に、梱包状態の斜視図がそれぞれ示されている。
【００３０】
この包装箱は、段ボール紙を型抜き裁断した素材を折り曲げて組み立てるよう構成されたものであり、基本的には、図２に示すように、箱本体１と、これに前方から外嵌連結される前パネル２とで構成されている。
【００３１】
前記箱本体１は、後側板３および左右の横側板４を備えるとともに下部に浅い箱状のポケット部５を備えており、後側板３の上端に外フラップ６が折り曲げ可能に連設されている。また、前パネル２は、前側板７および左右の横側板８を備えており、前側板７の上端に折り曲げ可能に外フラップ９が連設されるとともに、各横側板８の上端には折り曲げ可能に内フラップ１０がそれぞれ連設されている。
【００３２】
図７に、前記箱本体１を形成する素材の展開平面図が示されている。この素材は、段ボール紙を型抜き裁断したものであり、後側板３の下端にポケット部５を形成する底板１１が折リ線ａを介して内折り可能に連設されるとともに、この底板１１の下端にポケット部５を形成する高さの低い前板１２が折リ線ｂを介して内折り可能に連設されている。また、後側板３の左右端に横側板４が折り線ｃを介して内折り可能に連設されるとともに、後側板３の上端に外フラップ６が折り線ｄを介して折り曲げ可能に連設されている。
【００３３】
ポケット部５を形成する前板１２の左右端には、高さの低い横板１３が折り線ｅを介して内折り可能に連設されるとともに、左右の横側板４の下端には補強片１４が折り線ｆを介して内折り可能に連設されている。
【００３４】
左右の横側板４の下方箇所には、箱本体１と前パネル２とを連結するための連結具１５を装着する取付け孔１６が一対ずつ打ち抜き形成されるとともに、左右の横側板４の上方箇所には、持ち運び用の提手孔１７が打ち抜き形成されている。また、横板１３にも連結具１５の取付け孔１８が一対ずつ打ち抜き形成されている。
【００３５】
上記のように構成された素材は以下のように折り曲げられて箱本体１に組み立てられる。
【００３６】
図８に示すように、後側板３を折り起こすとともに、補強底板１４を内折りした横側板４を、内折りして補強底板１４を底板１１上に重ねる。次に、横板１３を内折りした前板１２を折り起こして、横板１３を横側板４の内面に重ねる。
【００３７】
ここで、横側板４における下部には先拡がり形状の係止片１９が箱内方に折り曲げ可能に切り込み形成されるとともに、横板１３には箱内方に折り曲げられた係止片１９を係入して保持する係止孔２０が形成されており、図９に示すように、左右の係止片１９を箱内方に折り込んで係止孔１６に係止させることで、ポケット部５の組み上げ状態が保持される。また、このようにポケット部５が組み上げられた状態では、横側板４における連結具１５の取付け孔１６と横板１３における連結具１５の取付け孔１８とが合致する。このポケット部５は、物品を容易に出し入れできるように浅く形成されており、このポケット部５は、包装箱の高さの１／２以下、好ましくは、１／３以下の深さであるのが好ましい。
【００３８】
図１０に、前記前パネル２を形成する素材の展開平面図が示されている。この素材も、段ボール紙を型抜き裁断したものであり、前側板７の左右端に横側板８が折り線ｇを介して内折り可能に連設されるとともに、前側板７の上端に外フラップ９が折り線ｈを介して折り曲げ可能に連設され、さらに、横側板８の上端に内フラップ１０が折り線ｉを介して折り曲げ可能に連設されている。
【００３９】
また、左右の横側板８の下方箇所には、箱本体１と前パネル２とを連結するための連結具１５を装着する取付け孔２１が一対ずつ打ち抜き形成されるとともに、左右の横側板４の上方箇所には、持ち運び用の提手孔２２が切り込み形成されている。
【００４０】
物品の収納梱包に際しては、組み上げられて前方が大きく開放された箱本体１のポケット部５に物品を収納した後、図２に示すように、横側板８を内向きに折り曲げた前パネル２を箱本体１の前方から被せ、箱本体１の横側板４に前パネル２の横側板８を外嵌重合させる。箱本体１に前パネル２を外嵌した状態では、図５に示すように、箱本体１における横側板４の取付け孔１６、横板１３の取付け孔１８、および、前パネル２における横側板の取付け孔２１が内外に貫通して合致することになり、３枚重ね箇所における取付け孔１６，１８，２１に、予め用意した樹脂製の連結具１５を外方から嵌入装着することで、箱本体１と前パネル２が強固に一体化される。
【００４１】
その後、図３に示すように、内フラップ１０および前後の外フラップ９，６を折り曲げて箱上端を閉じ、必要に応じて、図４に示すように、テープ２３を貼り付けて外フラップ６，９を固定封止することで梱包が完了する。
【００４２】
梱包した包装箱を持ち運ぶ際には、図４中に示すように、前パネル２における横側板８の提手孔２２を埋めている舌片２２ａを指先で押し込んで内方上方に折り曲げ、舌片２２ａを内側の提手孔１７に押し込み通過させる。このように孔内に折り込んだ舌片２２ａは、その下面が孔口縁の板厚さに比べて大きく、かつ、平坦な指掛け面となり、提手孔２２，１７に掛けた手指の腹に無理をかけることなく重い包装箱を持ち上げることができる。
【００４３】
梱包を解く場合には、先ず、封止したテープ２３を剥離あるいは切断するとともに、連結具１５を抜き取って前パネル２を箱本体１から取り外し、前パネル２の取り外しによって前面が大きく開放された箱本体１のポケット部５から物品を容易に取り出すことができる。また、係止片１９を係止孔２０から抜き外せば、ポケット部５の前板１２および左右の横板１３を前方に折り拡げることができるとともに、左右の横側板４も横側方へ折り拡げることができ、前方および左右両側方を大きき開放した状態で一層容易に物品を取り出すことが可能となる。
【００４４】
使用後は、係止片１９を係止孔２０から抜き外すことで、ポケット部５を分解して箱本体１を扁平に展開することができ、また、横側板８、外フラップ９、および、内フラップ１０を折り拡げて前パネル２を扁平にすることができ、嵩低くして保管や廃棄を行うことができる。
【００４５】
[他の実施例]
本考案は、以下のような形態で実施することもできる。
【００４６】
（１）上記実施例では、ポケット部５の組み立て状態を維持するために、横側板４と横板１３とを係止片１９と係止孔２０で分解可能に連結しているが、横側板４と横板１３とを接着剤やステッチを用いて分解不能に連結する形態で実施することもできる。
【００４７】
（２）上記実施例では、箱本体１における横側板４と横板１３との重合域に連結具１５の取付け孔を形成して、箱本体１における横側板４と横板１３、および、前パネル２の横側板８を３枚重ね状態にして連結具１５で連結するものとしているが、横側板４の取付け孔１６を横側板４と横板１３との重合域から外れた上方箇所に形成して、箱本体１の横側板４と前パネル２の横側板８とを２枚重ね状態にして連結具１５で連結する形態とすることもできる。
【００４８】
（３）前記内フラップ１０を、箱本体１における横側板４の上端に連設して実施することもできる。
【産業上の利用可能性】
【００４９】
本考案は、テレビ等の重量物の包装箱として有用である。
【符号の説明】
【００５０】
１                箱本体
２                前パネル
３                後側板
４                横側板
５                ポケット部
７                前側板
８                横側板
１１              底板
１２              前板
１３              横板
１５              連結具
１６              取付け孔
１７              提手孔
１８              取付け孔
１９              係止片
２０              係止孔
２１              取付け孔
２２              提手孔
【図１】
0003154971.tif 000003
【図２】
0003154971.tif 000004
【図３】
0003154971.tif 000005
【図４】
0003154971.tif 000006
【図５】
0003154971.tif 000007
【図６】
0003154971.tif 000008
【図７】
0003154971.tif 000009
【図８】
0003154971.tif 000010
【図９】
0003154971.tif 000011
【図１０】
0003154971.tif 000012